(57)【要約】【課題】  簡便な構造で形成することができ、両手鍋はもとより、片手鍋においても確実に蓋を立て掛けておくことができ、さらに、立て掛けた状態でも、蓋の内側に付着した水滴を調理台上に滴下させることがない容器の蓋掛具を提供すること。【解決手段】  本発明の容器の蓋掛具は、容器の把手部を挟持する挟持具と、挟持具に装着される掛止具とで構成される容器の蓋掛具であって、前記挟持具の上片と下片に、前記掛止具の基部を挿入保持する開孔部を形成するとともに、前記掛止具の上部に、容器の蓋の摘部を掛止する凹状部を形成したことを特徴とする。  また前記挟持具の開孔部は、正面視において十字状、水平長孔状、垂直長孔状、Ｔ字状、湾曲状および片仮名のエ状に穿孔されている。【選択図】図１
2014213195.tif 000002
【特許請求の範囲】
【請求項１】
容器の把手部を挟持する挟持具と、挟持具に装着される掛止具とで構成される容器の蓋掛具であって、前記挟持具の上片と下片に、前記掛止具の基部を挿入保持する開孔部を形成するとともに、前記掛止具の上部に、容器の蓋の摘部を掛止する凹状部を形成したことを特徴とする容器の蓋掛具。
【請求項２】
前記挟持具の開孔部は、正面視において十字状に穿孔されている請求項１記載の容器の蓋掛具。
【請求項３】
前記挟持具の開孔部は、正面視において水平長孔状に穿孔されている請求項１記載の容器の蓋掛具。
【請求項４】
前記挟持具の開孔部は、正面視において垂直長孔状に穿孔されている請求項１記載の容器の蓋掛具。
【請求項５】
前記挟持具の開孔部は、正面視においてＴ字状に穿孔されている請求項１記載の容器の蓋掛具。
【請求項６】
前記挟持具の開孔部は、正面視において湾曲状に穿孔されている請求項１記載の容器の蓋掛具。
【請求項７】
前記挟持具の開孔部は、正面視において片仮名のエ状に穿孔されている請求項１記載の容器の蓋掛具。
【発明の詳細な説明】
【技術分野】
【０００１】  本発明は、簡便な構造からなり、載置するスペースを必要とせず、両手鍋はもとより、片手鍋においても確実に蓋を立て掛けておくことができる容器の蓋掛具に関する。
【背景技術】
【０００２】  蓋を有する鍋などで調理をする際、蓋を片手で持ったり、蓋を調理台の上に置いたりして調理を行っていた。しかし、片手で蓋を持ちながら調理をすると手が疲れるとともに、蓋の内側に付着した水滴が調理台上に滴下するという問題が生じた。また、蓋を調理台の上に置く場合、載置するためのスペースが必要になった。さらに、調理台に置いた蓋を取り上げるのも困難であった。【０００３】  これらの問題を解消するために、あらゆるサイズ、形状の鍋蓋を料理時に一時的に立てかけて置け、さらに、菜箸も置くことができ、コンパクトで、持ち運びが簡単な鍋蓋一時置きスタンドがある（例えば特許文献１参照）。【０００４】  上掲特許文献１の鍋蓋一時置きスタンドは、円弧状の曲折形成により複数の山部と谷部を有した複数の金属棒と、板状を基本にデザイン形成された台座から成り、前記複数の金属棒の先端部を、前記台座の各コーナー近傍に接合した構造を特徴とするものである。
【先行技術文献】
【特許文献】
【０００５】
【特許文献１】特開２０１３−４７６号公報
【発明の概要】
【発明が解決しようとする課題】
【０００６】  しかしながら、上掲特許文献１の鍋蓋一時置きスタンドは、台座を調理台の上に載置するためのスペースを必要とした。また蓋を立て掛けた状態とするために、蓋の内側に付着した水滴が調理台上に滴下して不衛生でもあった。【０００７】  そこで本発明は上記の点に鑑み、簡便な構造で形成することができ、両手鍋はもとより、片手鍋においても確実に蓋を立て掛けておくことができ、さらに、立て掛けた状態でも、蓋の内側に付着した水滴を調理台上に滴下させることがない容器の蓋掛具を提供することにある。
【解決を解決するための手段】
【０００８】  上記課題を解決するために本発明の容器の蓋掛具は、容器の把手部を挟持する挟持具と、挟持具に装着される掛止具とで構成される容器の蓋掛具であって、前記挟持具の上片と下片に、前記掛止具の基部を挿入保持する開孔部を形成するとともに、前記掛止具の上部に、容器の蓋の摘部を掛止する凹状部を形成したことを特徴とする。
【０００９】  また前記挟持具の開孔部は、正面視において十字状に穿孔されている。
【００１０】  また前記挟持具の開孔部は、正面視において水平長孔状に穿孔されている。
【００１１】  また前記挟持具の開孔部は、正面視において垂直長孔状に穿孔されている。
【００１２】  また前記挟持具の開孔部は、正面視においてＴ字状に穿孔されている。
【００１３】  また前記挟持具の開孔部は、正面視において湾曲状に穿孔されている。
【００１４】  さらに前記挟持具の開孔部は、正面視において片仮名のエ状に穿孔されている。
【発明の効果】
【００１５】  本発明によれば、容器の把手部を挟持する挟持具と、挟持具に装着される掛止具とで構成される容器の蓋掛具であって、前記挟持具の上片と下片に、前記掛止具の基部を挿入保持する開孔部を形成するとともに、前記掛止具の上部に、容器の蓋の摘部を掛止する凹状部を形成したことにより、容器の蓋を載置するスペースを必要とせず、容易に、且つ確実に立て掛けておくことができる。また、立て掛けた状態で蓋の下部は容器内に配置されるため、蓋の内側に付着した水滴を調理台上に滴下させることがない。
【００１６】  また、挟持具の開孔部を正面視において十字状に穿孔することで、両手鍋はもとより、片手鍋においても確実に蓋を立て掛けておくことができ、高い利便性を発揮することが可能となる。
【図面の簡単な説明】
【００１７】
【図１】本発明における容器の蓋掛具の全体斜視図である。
【図２】前記蓋掛具の組立状態である。
【図３】前記蓋掛具の断面図である。
【図４】本発明における容器の蓋掛具の使用状態である。
【図５】片手鍋用に使用する蓋掛具の斜視図である。
【図６】片手鍋に装着した蓋掛具の使用例である。
【図７】挟持具に形成された開孔部の他の好適例である。
【図８】挟持具に形成された開孔部の他の好適例である。
【発明を実施するための形態】
【００１８】  本発明の容器の蓋掛具は、簡便な構造で形成することができ、両手鍋はもとより、片手鍋においても確実に蓋を立て掛けておくことができ、さらに、立て掛けた状態でも、蓋の内側に付着した水滴が調理台上に滴下することを防ぐものである。
以下、本発明の容器の蓋掛具における実施の形態を図面に基づいて説明する。
【００１９】  図示する容器の蓋掛具１は、容器３０の把手部３１を挟持する挟持具１０と、挟持具１０に装着される掛止具２０とで構成される。また前記挟持具１０および掛止具２０は、金属、特に防錆特性を有するステンレス等で形成することが好ましい。
【００２０】  挟持具１０はクリップ構造を呈しており、上片１１と下片１２と、上片１１と下片１２とを挟持状態で連結するバネ部材１３と、上片１１の基部に連設された上片摘部１４と、下片１２の基部に連設された下片摘部１５とからなる。
【００２１】  掛止具２０は、ステンレス等の素材からなり、大形の上部体２１と、上部体２１に連接された細状の基部２２と、上部体２１と基部２２との間に形成された係止部２３とからなる。
【００２２】  また特に、前記掛止具２０の上部体２１の上部には凹部２４が形成されている。凹部２４は、容器３０の蓋３２の摘部３３を掛止するものであり、形状は図示する湾曲状はもとより、Ｖ字状、多角状、半円状のものでもよい。
【００２３】  また、前記挟持具１０の上片１１と下片１２には、前記掛止具２０の基部２２を挿入保持し、掛止具２０を挟持具１０に立て掛けることができる開孔部１６，１６´が形成されている。
【００２４】  前記開孔部１６は上片１１の略中央部分に，開孔部１６´は下片１２の略中央部分に穿孔されている。そのことにより、掛止具２０の基部２２を挿入することで、図２および図３に示すように、掛止具２０の基部２２を上下箇所で保持することができ、挟持具１０を容易に、且つ安定した状態で立て掛けることができる。
【００２５】  また、挟持具１０の開孔部１６に掛止具２０の基部２２を挿入し、一体的に組み立てた後、図４に示すように、挟持具１０を容器３０の把手３１に挟持し、蓋３２の摘部３３を掛止具２０の凹部２４に掛止させることで、蓋３２を容易に立て掛けることができる。またこの際、蓋３２の下方は、図示するように容器３０内に配置される。そのため、蓋３２の内側に付着した水滴ａは容器３０内に滴下され、水滴で調理台上を汚すことがない。
【００２６】  また前記開孔部１６，１６´は、正面視において十字状に穿孔されている。そのことにより、図１乃至図４に示すように、掛止具２０を容器３０に対して平行に装着することで、両手鍋の把手３１に好適に装着することができる。また容器３０に対して掛止具２０を垂直方向に挿入するとこで、図５または図６に示すように、片手鍋の把手３１´に好適に装着することができる。
【００２７】  また前記開孔部１６は、図７の（ａ）に示すように、十字状に限定されるものではなく、（ｂ）に示すように、正面視において水平長孔状に穿孔した開孔部１６ｂでもよい。この形状においては、両手鍋に好適に使用できる。
【００２８】  また（ｃ）に示すように、正面視において垂直長孔状に穿孔した開孔部１６ｃでもよい。この形状においては、片手鍋に好適に使用できる。
【００２９】  また前記開孔部１６は、図８の（ｄ）に示すように、正面視においてＴ字状に穿孔した開孔部１６ｄでもよい。この形状においては、両手鍋および片手鍋の両方に好適に使用できる。
【００３０】  また（ｅ）に示すように、正面視において湾曲状に穿孔されている開孔部１６ｅでもよい。この形状においては、両手鍋に好適に使用できる。また、垂直長孔状に穿孔した開孔部を湾曲状に穿孔してもよい。
【００３１】  また（ｆ）に示すように、正面視において片仮名のエ状に穿孔されている開孔部１６ｆでもよい。この形状においては、両手鍋および片手鍋の両方に好適に使用できる。さらに、正面視において水平長孔状の開孔部が上下方向に複数穿孔されているため、サイズの異なる容器においても、自在に蓋を立て掛けることができる。
【００３２】  上述の構成により、本発明の容器の蓋掛具は、簡便な構造で形成することができる。また、開孔部を十字状に穿孔することで、両手鍋はもとより、片手鍋においても確実に蓋を立て掛けておくことができる。さらに、立て掛けた状態でも、蓋の内側に付着した水滴を調理台上に滴下させることがない。
【符号の説明】
【００３３】１    蓋掛具
１０  挟持具
１１  上片
１２  下片
１３  バネ部材
１４  上片摘部
１５  下片摘部
１６  開孔部
２０  掛止具
２１  上部体
２２  基部
２３  係止部
２４  凹部
３０  容器
３１  把手
３２  蓋
３３  摘部
ａ    水滴
【図１】
2014213195.tif 000003
【図２】
2014213195.tif 000004
【図３】
2014213195.tif 000005
【図４】
2014213195.tif 000006
【図５】
2014213195.tif 000007
【図６】
2014213195.tif 000008
【図７】
2014213195.tif 000009
【図８】
2014213195.tif 000010